(57)【要約】      （修正有）【課題】センター役物のステージに備える振り分け役物の永久磁石の配設に工夫を凝らして、永久磁石の位置の予測を可能にしつつ、遊技球を回転体の外周壁上に停留させることなく移動させることで、遊技者に対しステージ上における遊技球の動きにより一層面白みを与える遊技機を提供する。【解決手段】遊技球が前側回転体４０ｃの四角柱４１側へ転動したとき、前側回転体４０ｃの永久磁石４１ｂが前方を臨む位置にあれば、四角柱４１の回転に伴い、永久磁石４１ｂ上に乗った状態で、四角柱４３側へ移動する。このとき、後側回転体４０ｄの永久磁石４３ｂが前方を臨む位置にあれば、永久磁石４１ｂから分離されて、後方へ移動する。また、上述のように遊技球が前側回転体４０ｃの四角柱４１側へ転動したとき、当該四角柱４１の永久磁石４１ｂが上方を臨む位置にあれば、遊技球は、四角柱４３の外壁部４３ａにより押されて永久磁石４１ｂから分離されて、落下する。【選択図】図８
2010142310.tif 000002
【特許請求の範囲】
【請求項１】
環状のセンター役物と、このセンター役物の下側中央部に設けてなるステージに互いに左右方向に沿い並行となるように前後に形成した前側ステージ部及び後側ステージ部の間にてその左右方向中央部に設けられる振り分け役物とを、遊技盤に備えるパチンコ遊技機において、
前記振り分け役物は、
前記前側ステージ部及び前記後側ステージ部の間にて互いに左右方向に間隔をおいて対向するように前記左右方向中央部から上方へ延出する左右両側支持壁と、
当該左右両側支持壁によりその間にて左右方向に沿い支持される回転可能な前側回転体であって、複数の外壁部を横断面多角形状に連ねて構成した外周壁を有する前側多角柱及び前記複数の外壁部の少なくとも１つに設けた前側永久磁石を具備する前側回転体と、
前記前側多角柱の上側後方において前記左右両側支持壁によりその間にて当該前側多角柱の軸方向に沿うように支持される回転可能な後側回転体であって、複数の外壁部を横断面多角形状に連ねて構成した外周壁を有する後側多角柱及びこの後側多角柱の前記複数の外壁部の少なくとも１つに設けた後側永久磁石を具備する後側回転体とを備えて、
遊技球が前記前側ステージ部上にて前記前側多角柱に向けて転動したとき、前記前側回転体は、前記遊技球を前記前側永久磁石により吸着して前記後側多角柱に向けて移動させるように、前記前側多角柱にて前側から上側に向けて回転し、前記後側回転体は、前記前側永久磁石により吸着されて移動する前記遊技球を前記後側永久磁石によって吸着したときには当該遊技球を前記後側ステージ部に向けて移動させるように、前記後側多角柱にて前側から上側に向けて回転し、また、前記前側永久磁石により吸着されて移動する前記遊技球を前記後側永久磁石によって吸着しないときには前記後側多角柱の前記回転のもとその外壁部により前記遊技球を前記前側ステージ部に向けて押し戻すようにしたことを特徴とするパチンコ遊技機。
【請求項２】
前記後側多角柱が、その一外壁部にて、前記前側多角柱の一外壁部に平行となるように、当該一外壁部に対向して位置するとき、前記両一外壁部の間隔が、前記遊技球の直径未満であることを特徴とする請求項１に記載のパチンコ遊技機。
【請求項３】
前記前側多角柱及び前記後側多角柱は、それぞれ、四角柱であり、
前記前側永久磁石は、前記前側多角柱である前記四角柱の各外壁部のうち当該外壁部の数未満の外壁部に設けられており、
前記後側永久磁石は、前記後側多角柱である前記四角柱の各外壁部のうち当該外壁部の数未満の外壁部に設けられていることを特徴とする請求項１または２に記載のパチンコ遊技機。
【請求項４】
前記前側多角柱は、四角柱及び三角柱の一方であり、
前記後側多角柱は、前記四角柱及び前記三角柱の他方であり、
前記前側永久磁石は、前記前側多角柱である前記四角柱及び前記三角柱の一方の各外壁部のうち当該外壁部の数未満の外壁部に設けられており、
前記後側永久磁石は、前記後側多角柱である前記四角柱及び前記三角柱の他方の各外壁部のうち当該外壁部の数未満の外壁部に設けられていることを特徴とする請求項１または２に記載のパチンコ遊技機。
【請求項５】
前記振り分け役物は、前記前側及び後側の各多角柱を電源の投入時から予め定められた駆動パターンにて前側から上側に向け回転させるように前記前側及び後側の各多角柱を駆動する駆動手段を備えることを特徴とする請求項１〜４のいずれか１つに記載のパチンコ遊技機。
【発明の詳細な説明】
【技術分野】
【０００１】
本発明は、パチンコ遊技機に係り、特に、センター役物及びこのセンター役物内に案内される遊技球の移動経路に対し遊技者に関心をもたせるように変化を与える振り分け役物を遊技盤に備えてなるパチンコ遊技機に関する。
【背景技術】
【０００２】
従来、パチンコ遊技機においては、下記特許文献１に記載のパチンコ機が提案されている。このパチンコ機の遊技盤に設けたステージにおいては、いわゆる振り分け役物に相当する構造物が設けられている。この構造物は、左手前側及び左奥側の両回転ローラを有しており、これら左手前側及び左奥側の両回転ローラは、ステージの奥側に形成した収容孔において、互いに左右方向に平行となるように位置して、左側壁部と共通壁部との間に設けられている。また、右手前側及び右奥側の両回転ローラが、上記収容孔において、互いに左右方向に平行となるように位置して、共通壁部と右側壁部との間に設けられている。
【０００３】
ここで、左手前側及び左奥側の各回転ローラは、左側壁部と共通壁部との間にて、手前側及び奥側に位置しており、これら左手前及び左奥側の各回転ローラは、それぞれ、横断面円形状を有し、かつ同一の縦断面形状を有して、左端部から右端部にかけて末すぼまり状に形成されている。但し、左奥側回転ローラは、その駆動軸にて、左手前側回転ローラの駆動軸よりも上方に位置している。このため、左奥側回転ローラは、左手前側回転ローラよりも上方に位置している。
【０００４】
また、右手前側及び右奥側の各回転ローラは、共通壁部と右側壁部との間にて、手前側及び奥側に位置している。これら右手前側及び右奥側の各回転ローラは、それぞれ、横断面円形状を有し、かつ同一の縦断面形状を有して、左手前側及び左奥側の各回転ローラとは逆に、右端部から左端部にかけて末すぼまり状に形成されている。但し、右手前側回転ローラは、左手前側回転ローラと駆動軸を共通にしており、右奥側回転ローラは、左奥側回転ローラと同軸に位置している。このため、右奥側回転ローラは、右手前側回転ローラよりも上方に位置している。
【０００５】
また、左奥側回転ローラは、両磁石を有しており、これら両磁石は、左奥側回転ローラの外周面のうち当該左奥側回転ローラの駆動軸に沿う外周面部に左右に間隔をおいて設けた両収容凹所にそれぞれ収容されている。また、右奥側回転ローラも、両磁石を有しており、これら両磁石は、右奥側回転ローラの外周面のうち当該右奥側回転ローラの駆動軸に沿う外周面部に左右に間隔をおいて設けた両収容凹所にそれぞれ収容されている。但し、右奥側回転ローラの両収容凹所は、左奥側回転ローラの両収容凹所とは、同一の回転角位置にある。
【０００６】
一方、左手前側回転ローラも、両磁石を有しており、これら両磁石は、左手前側回転ローラの外周面に左右に間隔をおいて設けた両収容凹所にそれぞれ収容されている。但し、左手前側回転ローラの両収容凹所は、当該左手前側回転ローラの外周面の周方向に回転角にて９０度ずれて位置している。また、右手前側回転ローラも、両磁石を有しており、これら両磁石は、右手前側回転ローラの外周面に左右に間隔をおいて設けた両収容凹所にそれぞれ収容されている。但し、右手前側回転ローラの両収容凹所は、当該右手前側回転ローラの外周面の周方向に回転角にて９０度ずれて位置している。
【０００７】
しかして、左右の手前側回転ローラ及び左右の奥側回転ローラは、複数の歯車を介しステップモータにより駆動されて、共に、同一方向に回転する。但し、各回転ローラの回転方向は、当該回転ローラをその右側からみたとき、時計方向に一致する。
【特許文献１】特開２００５−２３７８４３号公報
【発明の開示】
【発明が解決しようとする課題】
【０００８】
ところで、上述のように構成されたパチンコ機においては、各回転ローラが上述のように時計方向に回転すると、ステージのフロントフロア上に転動してきた遊技球が、例えば、左手前側回転ローラのいずれかの磁石により吸着されると、このように吸着された遊技球は、左手前側回転ローラの時計方向への回転に伴い、当該左手前側回転ローラの外周面に乗り上げて左奥側回転ローラの外周面に向けて移動する。
【０００９】
然る後、このように移動した遊技球が、左奥側回転ローラの磁石により吸着されると、このように吸着された遊技球は、左手前側回転ローラの外周面から左奥側回転ローラの外周面上に乗り上げる。そして、このように乗り上げた遊技球は、左奥側回転ローラの外周面に沿いその傾斜方向に転動して上記共通壁部の開口孔内に落下していく。
【００１０】
しかしながら、上述のように遊技球が左手前側回転ローラの磁石により吸着されてフロントフロアから当該左手前側回転ローラの外周面に乗り上げても、当該遊技球が左奥側回転ローラの磁石により吸着されにくい位置にあるときが生ずる。
【００１１】
このようなときには、左手前側及び左奥側の両回転ローラが時計方向に回転していても、左奥側回転ローラが横断面円形状を有することから、遊技球は、左手前側回転ローラの回転に伴いその磁石による吸着から開放された後も、左奥側回転ローラの外周面に接触しながら左手前側回転ローラの外周面の傾斜方向に移動することなく当該左手前側回転ローラの外周面上に停留してしまうという事態が発生し易い。
【００１２】
その結果、このような事態が発生すると、遊技球の移動がなくなり、折角のステージにおける遊技球による演出が面白みにかけてしまうという不具合を招く。
【００１３】
また、上述のように左手前側及び左奥側の各回転ローラが回転するにあたり、左手前及び左奥側の各回転ローラを横断面円形状を有するように構成されているため、各回転ローラの外周面の回転軌跡が、各回転ローラの回転位置とはかかわりなく、一様となる。このため、遊技者は、回転ローラに対する磁石の設置位置を全く予測することができない。従って、回転ローラが回転しても、磁石がどのようなタイミングで遊技者に見える位置に移動するかを予測することは困難である。
【００１４】
その結果、遊技球が回転ローラの回転に伴い磁石により吸着されたか否かという結果に対する興味を、遊技者に対し与え得るのみであって、手前側回転ローラの磁石により吸着された遊技球が奥側回転ローラの磁石により吸着されるか否かを予測するという興趣を、遊技者に対して与えることができず、ステージにおける遊技球による演出が面白みにかけてしまうという不具合を招く。
【００１５】
そこで、本発明は、以上のようなことに対処するために、センター役物のステージに備える振り分け役物の回転体の横断面形状及び当該回転体の外周壁に対する永久磁石の配設に工夫を凝らして、永久磁石の位置の予測を可能にしつつ、遊技球を回転体の外周壁上に停留させることなく移動させることで、遊技者に対しステージ上における遊技球の動きにより一層面白みを与えるようにしたパチンコ遊技機を提供することを目的とする。
【課題を解決するための手段】
【００１６】
上記解決課題によれば、本発明に係るパチンコ遊技機は、請求項１の記載によれば、
環状のセンター役物（３０）と、このセンター役物の下側中央部に設けてなるステージ（３０ａ）に互いに左右方向に沿い並行となるように前後に形成した前側ステージ部（３１）及び後側ステージ部（３３）の間にてその左右方向中央部（３２ａ）に設けられる振り分け役物（４０）とを、遊技盤（１０）に備える。
【００１７】
当該パチンコ遊技機において、振り分け役物は、
上記前側ステージ部及び上記後側ステージ部の間にて互いに左右方向に間隔をおいて対向するように上記左右方向中央部から上方へ延出する左右両側支持壁（４０ａ、４０ｂ）と、
当該左右両側支持壁によりその間にて左右方向に沿い支持される回転可能な前側回転体であって、複数の外壁部（４１ａ）を横断面多角形状に連ねて構成した外周壁を有する前側多角柱（４１）及び前記複数の外壁部の少なくとも１つに設けた前側永久磁石（４１ｂ）を具備する前側回転体（４０ｃ）と、
前側多角柱の上側後方において左右両側支持壁によりその間にて当該前側多角柱の軸方向に沿うように支持される回転可能な後側回転体であって、複数の外壁部（４３ａ、４９ａ）を横断面多角形状に連ねて構成した外周壁を有する後側多角柱（４３、４９）及びこの後側多角柱の上記複数の外壁部の少なくとも１つに設けた後側永久磁石（４３ｂ、４９ｂ）を具備する後側回転体（４０ｄ、４０ｇ）とを備えて、
遊技球が上記前側ステージ部上にて前側多角柱に向けて転動したとき、前側回転体は、上記遊技球を前側永久磁石により吸着して後側多角柱に向けて移動させるように、前側多角柱にて前側から上側に向けて回転し、後側回転体は、前側永久磁石により吸着されて移動する上記遊技球を後側永久磁石によって吸着したときには当該遊技球を上記後側ステージ部に向けて移動させるように、後側多角柱にて前側から上側に向けて回転し、また、前側永久磁石により吸着されて移動する上記遊技球を後側永久磁石によって吸着しないときには後側多角柱の上記回転のもとその外壁部により上記遊技球を上記前側ステージ部に向けて押し戻すようにしたことを特徴とする。
【００１８】
このような構成によれば、前後両側の回転体が回転している状態において、遊技球が、センター役物のステージ上に転動した後、当該ステージの前側ステージ部から振り分け役物に向けて転動して、前側多角柱の前側永久磁石により吸着されたとき、当該遊技球は、前側多角柱の回転に伴い、その前側永久磁石によりつり上げられて当該前側永久磁石上に乗った状態で、後側多角柱側へ移動する。
【００１９】
このような移動過程において、後側永久磁石が、後側多角柱の回転に伴い、センター役物の前方を臨む位置に達したとき、前側永久磁石上の上記遊技球が、後側永久磁石により吸着されると、当該遊技球は、前側及び後側の両多角柱の回転に伴い、上述のように後側永久磁石により吸着されたまま、上側後方へ移動する。然る後、上記遊技球は、後側多角柱のさらなる回転に伴い、ステージの後側ステージ部に設けた案内通路内にその上端開口部から落下して、当該案内通路を通り、例えば、ステージの左右方向中央部の前側直下にて遊技盤の盤面に設けた始動入賞口内に入賞する。
【００２０】
また、上述のごとく前後両側の回転体が回転している状態において、前側永久磁石が、遊技球を吸着したまま、上方を臨む位置にあるとき、後側永久磁石が、ステージ部の前方を臨む位置になく、例えば、上方を臨む位置に達すると、後側永久磁石は、前側永久磁石により吸着された遊技球を吸着し得ない位置にある。
【００２１】
従って、上述のごとく前側及び後側の両多角柱が横断面多角形状を有することから、前側永久磁石により吸着された遊技球は、前側多角柱の前側永久磁石を有する外壁部上に停留することなく、後側多角柱によりその前方へ向けて押し戻され、前側永久磁石からその磁力に抗して確実に分離されてステージの上に向けて落下する。しかして、このように落下する遊技球は、その勢いのもとに前側ステージ部に沿いその面形状に応じて転動し、例えば、上記始動入賞口側へ落下していく。
【００２２】
以上のように、振り分け役物においては、前後両側の各多角柱が、横断面円形状ではなく、横断面多角形状を有するように形成されている。このため、前側及び後側の各多角柱が、その各外壁部の数において同一であっても、異なっていても、前側多角柱において前側永久磁石を有する外壁部が、上方を臨む位置にあるとき、後側多角柱において後側永久磁石を有する外壁部は、センター役物の前方を臨む位置にあるとは限らず、例えば、上方を臨む位置にあることもある。
【００２３】
従って、上述のように、遊技球がステージの前側ステージ部上にて前側多角柱側に転動することで、当該遊技球が前側永久磁石により吸着されて前側四多角柱の回転に伴い上方から後側多角柱側へ移動したとき、後側多角柱の後側永久磁石を有する外壁部が、センター役物の前方を臨む位置にあれば、前側永久磁石により吸着された遊技球は、後側永久磁石により吸着されて当該永久磁石上に乗り上げて、上記案内通路内にその上端開口部から落下する。
【００２４】
一方、上記遊技球が上述のごとく後側多角柱側へ移動したとき、この後側多角柱の後側永久磁石を有する外壁が、センター役物の前方を臨む位置にはなく、上方を臨む位置にあれば、前側及び後側の両多角柱が横断面多角形状を有することから、前側永久磁石により吸着された遊技球が、前側多角柱の前側永久磁石を有する外壁上に停留することなく、後側多角柱によりその前方へ向けて押し戻され、前側永久磁石からその磁力に抗して分離されて、ステージの前側ステージ部上に向けて落下する。
【００２５】
このように、振り分け役物における前後両側の各回転体の前後両側の各多角柱を、横断面多角形状を有するように形成することで、上述のように、遊技球を前側及び後側の両多角柱の回転に伴い案内通路の上端開口部側へ転動させるのは勿論のこと、遊技球を、前側多角柱の外壁部上に停留させることなく、当該外壁部上から確実に前側ステージ部上へ落下させるようにした。
【００２６】
これにより、ステージ上における遊技球の停留のない円滑な動きを、上述のような振り分け役物により、与えることによって、ステージ上における遊技球の動きに対し、遊技者に、より一層面白みを与えることができる。
【００２７】
また、上述のごとく、前側及び後側の各多角柱は、その外周壁にて、横断面多角形状となるように複数の外壁部を連ねて構成されているから、各多角柱の外周壁の回転軌跡が、当該各多角柱の回転に伴い横断面多角形状的に変化していく。従って、遊技者は、直接、永久磁石を視認しなくても、各多角柱の回転状態から永久磁石の視認可能な位置への到来を予測できる。
【００２８】
これにより、前側永久磁石により吸着された遊技球が後側永久磁石により吸着されるか否かを予測するという興趣を、遊技者に対して良好に与えることができ、その結果、上述のようなステージにおける遊技球の動きに対する面白みをより一層向上させることができる。
【００２９】
以上のように、本第１実施形態によれば、永久磁石の位置の予測を可能にしつつ、遊技球を前側及び後側の各回転体の外周壁上に停留させることなく移動させることで、遊技者に対しステージ上における遊技球の動きにより一層面白みを与えるようにしたパチンコ遊技機を提供することができる。
【００３０】
なお、請求項１の記載のセンター役物は、以下のように構成してもよい。
【００３１】
即ち、当該センター役物は、
上述した左右方向支持壁と、
当該左右方向支持壁によりその間にて回転可能に支持されて、複数の外壁部を外周壁として有する前側多角柱を備えてなる前側回転体であって、上記前側多角柱の上記複数の外壁部の少なくとも１つの外壁部に設けた少なくとも１つの凹所に外方を臨むように少なくとも１つの前側永久磁石を嵌着してなる前側回転体と、
上記左右方向支持壁の間にて上記前側多角柱の上側後方にて当該前側多角柱の軸方向に沿うように上記左右方向支持壁により回転可能に支持されて、複数の外壁部を外周壁として有する後側多角柱を備えてなる後側回転体であって、上記後側多角柱の上記複数の外壁部の少なくとも１つの外壁部に設けた少なくとも１つの凹所に外方を臨むように少なくとも１つの後側永久磁石を嵌着してなる後側回転体と、
上記前側及び後側の各多角柱を前側から上側に向け同一方向に回転するように駆動する駆動手段とを備えて、
上記少なくとも１つの前側永久磁石は、上記前側多角柱の上記外壁部の数未満の永久磁石であって、少なくとも、上記ステージの前側ステージ部の左右方向中央部に対応しており、
上記少なくとも１つの後側永久磁石は、上記後側多角柱の外壁部の数未満（或いは当該外壁部の全数）の永久磁石であって、それぞれ、上記少なくとも１つの前側永久磁石に対応し得るように構成してもよい。
【００３２】
また、本発明は、請求項２の記載によれば、請求項１に記載のパチンコ遊技機において、
後側多角柱が、その一外壁部にて、前側多角柱の一外壁部に平行となるように、当該一外壁部に対向して位置するとき、上記両一外壁部の間隔が、上記遊技球の直径未満であることを特徴とする。
【００３３】
これによれば、請求項１に記載の発明の作用効果を達成し得るのは勿論のこと、前側及び後側の両多角柱が互いにどの外壁部にて対向するように位置していても、前側及び後側の両多角柱の間に対する遊戯球の噛み込みや、前側及び後側の両多角柱の間を通る遊技球の落下が防止され得る。
【００３４】
なお、請求項２の記載において、さらに、後側角柱が、前側角柱との間で互いに干渉し合わないように、前側及び後側の両回転体の軸間隔を選定するようにしてもよい。
【００３５】
また、本発明は、請求項３の記載によれば、請求項１または２に記載のパチンコ遊技機において、
前側多角柱及び後側多角柱は、それぞれ、四角柱（４１、４３）であり、
前側永久磁石は、前側多角柱である四角柱の各外壁部（４１ａ）のうち当該外壁部の数未満の外壁部に設けられており、
後側永久磁石は、後側多角柱である四角柱の各外壁部（４３ａ）のうち当該外壁部の数未満の外壁部に設けられていることを特徴とする。
【００３６】
このように、前側多角柱及び後側多角柱をそれぞれ四角柱とすることにより、前側多角柱及び後側多角柱が、それぞれの外壁部の数を最小の同一数にしつつ双方に共通で簡単な横断面四角形状を有するように構成される。その結果、このような前側多角柱及び後側多角柱の相互に共通な簡単な構成のもとに、請求項１または２に記載の発明の作用効果をより一層具体的に達成することができる。
【００３７】
また、本発明は、請求項４の記載によれば、請求項１または２に記載のパチンコ遊技機において、
前側多角柱は、四角柱（４１）及び三角柱の一方であり、
後側多角柱は、四角柱（４３）及び三角柱（４９）の他方であり、
前側永久磁石は、前側多角柱である四角柱及び三角柱の一方の各外壁部（４１ａ）のうち当該外壁部の数未満の外壁部に設けられており、
後側永久磁石は、後側多角柱である四角柱及び三角柱の他方の各外壁部（４３ａ、４９ａ）のうち当該外壁部の数未満の外壁部に設けられていることを特徴とする。
【００３８】
このように、前側多角柱及び後側多角柱を、それぞれ、四角柱及び三角柱のいずれかとすることにより、前側多角柱及び後側多角柱のそれぞれの外壁部の数が３つ及び４つとなるため、前側多角柱及び後側多角柱が、それぞれの外壁部の数を互いに異にしつつ、簡単な横断面四角形状を有するように構成されることとなる。その結果、このような前側多角柱及び後側多角柱の簡単な構成のもとに、請求項１または２に記載の発明の作用効果をより一層具体的に達成することができる。
【００３９】
また、本発明は、請求項５の記載によれば、請求項１〜４のいずれか１つに記載のパチンコ遊技機において、振り分け役物は、前側及び後側の各多角柱を電源の投入時から予め定められた駆動パターンにて前側から上側に向け回転させるように前側及び後側の各多角柱を駆動する駆動手段（４０ｅ、４０ｆ）を備えることを特徴とする。
【００４０】
これによれば、前側及び後側の各多角柱は、互いに同一或いは異なる回転速度にて、前側から上側に向け回転することとなり、請求項１〜４に記載の発明の作用効果がより一層具体的に達成され得る。
【００４１】
なお、上記駆動パターンは、例えば、前側及び後側の各多角柱の各回転速度を同一或いは異なるように定めたパターンであってもよい。
【００４２】
なお、上記各手段の括弧内の符号は、後述する実施形態に記載の具体的手段との対応関係を示すものである。
【発明を実施するための最良の形態】
【００４３】
以下、本発明の各実施形態を図面により説明する。
【００４４】
図１は、本発明が適用されるパチンコ遊技機の第１実施形態を示している。当該パチンコ遊技機は、パチンコホール（図示しない）内の島（図示しない）に立設されるもので、このパチンコ遊技機は、機枠（図示しない）と、この機枠に対し前後方向に開閉可能に支持される遊技機本体Ｂ及び前扉ＦＤとにより構成されている。なお、前扉ＦＤは、遊技機本体Ｂの枠体とともに、前後方向に開閉可能に上記機枠に支持されており、この前扉ＦＤは、前枠ＦＤ１の中空部に窓ガラスＦＤ２を嵌め込んで構成されている。
【００４５】
遊技機本体Ｂは、図２にて示すごとく、遊技盤１０を備えており、この遊技盤１０は、遊技機本体Ｂの枠体（図示しない）に嵌装されている。なお、遊技機本体Ｂは、上記枠体にて、上記機枠に対し前後方向に開閉可能に支持されている。
【００４６】
また、当該遊技機本体Ｂは、ガイドレール２０及び環状のセンター役物３０を備えている。ガイドレール２０は、遊技盤１０の盤面１１の外周部に沿い配設されており、このガイドレール２０は、その内周側において、遊技盤１０の盤面１１上に遊技領域１２を特定する。しかして、ガイドレール２０は、ハンドルＨ（図１参照）の回動操作により、球発射装置（図示しない）から発射される遊技球を遊技領域１２内に案内する。なお、上記球発射装置は、遊技機本体Ｂの上記枠体の右下部に配設されている。また、ハンドルＨは、上記球発射装置の一構成部品として遊技機本体Ｂの上記枠体の右下部にその前面から設けられている。
【００４７】
センター役物３０は、図２にて示すごとく、遊技盤１０の中央開口部の外周部に盤面１１側から組み付けられている。当該センター役物３０は、図２及び図３にて示すごとく、ステージ３０ａを備えており、このステージ３０ａは、センター役物３０の下部にて当該センター役物３０の上下方向中心線に対し左右対称的な形状にて形成されている。
【００４８】
当該ステージ３０ａは、図２或いは図３にて示すごとく、前側ステージ部３１、中側ステージ部３２及び後側ステージ部３３を有しており、前側ステージ部３１は、その上面にて、中央隆起面部３１ａ及び左右両側湾曲面部３１ｂ、３１ｃでもって構成されている。
【００４９】
中央隆起面部３１ａは、上に凸な緩やかな隆起面形状にて、上記上下方向中心線を中心として左右対称的に形成されており、この中央隆起面部３１ａは、前側（センター役物３０の前側開口面側）から後側に向けて下方へ緩やかに傾斜している。これにより、遊技球が左右両側湾曲面部３１ｂ、３１ｃから中央隆起面部３１ａに向けて転動すると、当該遊技球は、中央隆起面部３１ａの前側から後側にかけて緩やかに転動する。
【００５０】
左右両側湾曲面部３１ｂ、３１ｃは、中央隆起面部３１ａを基準として、左右対称的に形成されており、左側湾曲面部３１ｂは、センター役物３０の内周面のうち左下側傾斜面部にて、左上端部から右下端部にかけて傾斜するように下に凸な緩やかな湾曲面形状に形成されている。これにより、遊技球が左側湾曲面部３１ｂの左上端部上へ転動すると、この遊技球は、左側湾曲面部３１ｂに沿い下方に向けて転動し右下端部を介し中央隆起面部３１ａ上へ転動する。
【００５１】
右側湾曲面部３１ｃは、センター役物３０の内周面のうち右下側傾斜面部にて、右上端部から左下端部にかけて傾斜するように下に凸な緩やかな湾曲面形状に形成されている。これにより、遊技球が右側湾曲面部３１ｂの右上端部上へ転動すると、この遊技球は、右側湾曲面部３１ｂに沿い下方に向けて転動し左下端部を介し中央隆起面部３１ａ上へ転動する。
【００５２】
また、中側ステージ部３２は、ステージ３０ａにおいて、前側ステージ部３１の後側にて当該前側ステージ部３１に沿い、下に凸な緩やかな湾曲面形状にて、上記上下方向中心線に対し左右対称的に形成されており、この中側ステージ部３２の上面は、その左右方向中央部にて、前側ステージ部３１の中央隆起面部３１ａ側から後方側にかけて緩やかに下方に向け傾斜するように形成されている。また、この中側ステージ部３２は、凹所３２ａを有しており、当該凹所３２ａは、中側ステージ部３２の左右方向中央部にて、左右方向に長い矩形穴状に形成されている。
【００５３】
後側ステージ部３３は、中側ステージ部３２の後側にて当該中側ステージ部３２に沿い、上記上下方向中心線に対し左右対称的に形成されており、この後側ステージ部３３は、その上面３３ａにて、上記上下方向中心線に対し直交して左右方向に平面となるように形成されている。
【００５４】
しかして、遊技球がセンター役物３０の左右両側ワープ通路からステージ３０ａに向けて落下すると、当該遊技球は、前側ステージ部３１、中側ステージ部３２或いは後側ステージ部３３上に向けて転動する。
【００５５】
また、当該ステージ３０ａは、図４にて拡大して示すごとく、案内通路３５を有しており、この案内通路３５は、ステージ３０ａの左右方向中央部にて、前後方向に向け縦断面Ｌ字状に形成されている。当該案内通路３５は、その上端開口部３５ａにて、図３にて示すごとく、後側ステージ部３３の上面３３ａの左右方向中央部から上方に向け開口している。
【００５６】
また、案内通路３５は、上端開口部３５ａから下方及び前方にかけてＬ字状に延在し、その下端開口部３５ｂにて、図２或いは図３にて示すごとく、ステージ３０ａの左右方向中央下端部から前方に向けて開口している。これにより、案内通路３５内にその上端開口部３５ａから落下する遊技球（図４にて符号Ｍ参照）は、図４にて矢印により示すごとく、案内通路３５の内部に沿い下方へ案内されて下端開口部３５ｂから下方へ落下する。
【００５７】
当該パチンコ遊技機は、図２及び図３にて示すごとく、振り分け役物４０を備えており、この振り分け役物４０は、中側ステージ部３２の凹所３２ａから上方へ突出するように、この凹所３２ａ内に設けられている。
【００５８】
当該振り分け役物４０は、左右両側支持壁４０ａ、４０ｂを有しており、左側支持壁４０ａは、凹所３２ａの左端部から上方へ延出するように当該左端部内に設けられている。一方、右側支持壁４０ｂは、左側支持壁４０ａに対向して、凹所３２ａの右端部から上方へ延出するように当該右端部内に設けられている。
【００５９】
また、振り分け役物４０は、図２、図３或いは図５にて示すごとく、前後両側回転体４０ｃ、４０ｄ、歯車列４０ｅ及びステップモータ４０ｆを備えている。前側回転体４０ｃは、長手状の四角柱４１を有しており、この四角柱４１は、４つの外壁部４１ａ〜４１ａにて横断面正方形状の外周壁を構成するように長手状に形成されている。また、当該前側回転体４０ｃは、左右両側軸部４２ａ、４２ｂを有しており、これら左右両側軸部４２ａ、４２ｂは、図５にて示すごとく、四角柱４１の長手方向両端中央部から互いに逆方向に一体的に延出されている。
【００６０】
しかして、当該前側回転体４０ｃは、左右両側軸部４２ａ、４２ｂにて、左右両側支持壁４０ａ、４０ｂの各前側下部により回転可能に支持されている。このことは、当該前側回転体４０ｃは、その長手方向下部を中側ステージ部３２の凹所３２ａ内に位置させるようにして、左右両側軸部４２ａ、４２ｂ間にてこれら左右両側軸部４２ａ、４２ｂにより回転可能に支持されていることを意味する。
【００６１】
また、当該前側回転体４０ｃは、両帯状永久磁石４１ｂ、４１ｂを有しており、これら両永久磁石４１ｂ、４１ｂは、図５にて示すごとく、四角柱４１の４つの外壁部４１ａ〜４１ａのうち、互いに隣接する両外壁部４１ａ、４１ａの各幅方向中央穴部にその長手方向に沿い嵌着されている。これにより、両永久磁石４１ｂ、４１ｂは、その各表面にて、互いに９０度異にして外方を臨んでいる。ここで、両永久磁石４１ｂ、４１ｂは、遊技球を吸着して後側回転体４０ｄ側へ移動させ得る程度の磁力を有する。
【００６２】
後側回転体４０ｄは、長手状の四角柱４３を有しており、この四角柱４３は、４つの外壁部４３ａ〜４３ａにて、四角柱４１と同一の横断面正方形状の外周壁を構成するように長手状に形成されている。また、当該後側回転体４０ｄは、左右両側軸部４４ａ、４４ｂを有しており、これら左右両側軸部４４ａ、４４ｂは、図５にて示すごとく、四角柱４３の長手方向両端中央部から互いに逆方向に一体的に延出されている。
【００６３】
しかして、当該後側回転体４０ｄは、前側回転体４０ｃの後側にて当該前側回転体４０ｃに沿い、左右両側軸部４４ａ、４４ｂにて、左右両側支持壁４０ａ、４０ｂの各後側上部に回転可能に支持されている。このことは、当該後側回転体４０ｄは、その長手方向下部を、中側ステージ部３２の凹所３２ａの開口部の直上に位置させるようにして、前側回転体４０ｃの後側斜め上方において、左右両側軸部４４ａ、４４ｂにより回転可能に支持されていることを意味する。
【００６４】
また、当該後側回転体４０ｄは、両帯状永久磁石４３ｂ、４３ｂを有しており、これら両永久磁石４３ｂ、４３ｂは、図５にて示すごとく、四角柱４２の４つの外壁部４３ａ〜４３ａのうち、互いに対向する両外壁部４３ａ、４３ａの幅方向中央穴部にその長手方向に沿い嵌着されている。これにより、両永久磁石４３ｂ、４３ｂは、各表面にて、互いに逆向きに外方を臨んでいる。また、両永久磁石４３ｂ、４３ｂは、前側回転体４０ｃの両永久磁石４１ｂ、４１ｂに吸着されている遊技球を吸着して後方へ移動させ得る程度の磁力を有する。このため、両永久磁石４３ｂ、４３ｂが、それぞれ、両永久磁石４１ｂ、４１ｂの各磁力よりも強い磁力を有するように、両永久磁石４３ｂ、４３ｂの各幅は、両永久磁石４１ｂ、４１ｂの各幅よりも広くなっている。なお、各永久磁石４１ｂ、４１ｂ、４３ｂ、４３ｂの厚みは共に同一である。
【００６５】
また、本第１実施形態では、四角柱４１の外壁部４１ａが四角柱４３の外壁部４３ａと平行となってこの外壁部４３ａに対向するとき、両外壁部４１ａ、４３ａ間に付与される所定の間隔Ｇ（図６参照）が、例えば、９．５１（ｍｍ）と、遊技球の外径（１１（ｍｍ））よりも狭くなるように、かつ、四角柱４１が、四角柱４３との間で、互いに干渉し合わないように、前後両側回転体４０ｃ、４０ｄの間の軸間隔が選定されている。なお、前側及び後側の両回転体４０ｃ、４０ｄは、合成樹脂材料でもって形成されている。
【００６６】
歯車列４０ｅは、前後両側回転体４０ｃ、４０ｄの各四角柱４１、４３の長手方向右側にて当該前後両側回転体４０ｃ、４０ｄ及び左側支持壁４０ｂに支持されている。当該歯車列４０ｅは、図５にて示すごとく、複数の平歯車４５〜４８を有しており、平歯車４５は、前側回転体４０ｃの四角柱部４１と左側支持壁４０ｂとの間にて、前側回転体４０ｃの右側軸部４２ｂに同軸的に支持されている。平歯車４６は、平歯車４５の後側斜め上方に位置しており、この平歯車４６は、後側回転体４０ｄの四角柱部４３と左側支持壁４０ｂとの間にて、後側回転体４０ｄの右側軸部４４ｂに同軸的に支持されている。本第１実施形態では、平歯車４６は、平歯車４５よりも大きな外径を有するように、両平歯車４５、４６の歯車比が選定されている。
【００６７】
平歯車４７は、両平歯車４５、４６の双方に噛合するように、両右側軸４２ｂ、４４ｂに平行な軸４７ａにて、左側支持壁４０ｂにより回転可能に支持されており、この平歯車４７の外径は、両平歯車４５、４６の各外径よりも大きい。残りの平歯車４８は、平歯車４７の後側斜め下方から当該平歯車４７に噛合するように、ステップモータ４０ｆの出力軸４８ａに同軸的に支持されており、この平歯車４８の外径は、平歯車４７の外径よりも大きい。なお、平歯車４８は、駆動歯車としての役割を果たし、平歯車４７は、中間歯車としての役割を果たし、また、両平歯車４５、４６は、それぞれ、被駆動歯車としての役割を果たす。
【００６８】
このように構成した歯車列４０ｅにおいては、各平歯車４５、４６は、共に、図５にて図示時計方向に回転するように、両平歯車４７、４８を介し、ステップモータ４０ｆにより後述のごとく駆動されるが、平歯車４６が平歯車４５よりも大きな外径を有することから、平歯車４６の回転速度は、平歯車４５の回転速度よりも低い。なお、本第１実施形態では、各平歯車４５〜４８は、共に、合成樹脂材料でもって形成されている。
【００６９】
ステップモータ４０ｆは、そのモータ本体にて、左側支持壁４０ｂの後側下部に支持されており、このステップモータ４０ｆの出力軸４８ａは、上述のごとく、平歯車４８を同軸的に支持するように左方へ向けて延出している。これにより、ステップモータ４０ｆは、上記パチンコ遊技機の電源（図示しない）の投入により給電されて、図５にて図示時計方向に回転することで、平歯車４８を同一方向に回転させる。このことは、前側及び後側の下記回転体４０ｃ、４０ｄが、それぞれ、予め定められた駆動パターンにて、ステップモータ４０ｅと同一方向に回転することを意味する。なお、上記駆動パターンは、主として、ステップモータ４０ｆの回転及び歯車列４０ｅの各歯車の回転のパターンにより特定される。
【００７０】
また、当該遊技機本体Ｂは、多数の障害釘からなる障害釘群（図示しない）及び画像表示器５０（図２参照）を有しており、上記障害釘群の各障害釘は、ガイドレール２０の内側において、センター役物３０の左側から下側にかけて、遊技盤１０にその盤面１１側から分散して打ち込まれている。しかして、当該障害釘群によれば、ガイドレール２０から遊技領域１２内に案内される遊技球は、遊技盤１０の盤面１１に沿い、各障害釘との衝突を経て、下方へ転動する。
【００７１】
画像表示器５０は、遊技盤１０の中央部に設けた開口部から前方を臨むように、遊技盤１０の裏面に配設されて、種々の画像の表示を行う。
【００７２】
また、当該遊技機本体Ｂは、図２にて示すごとく、スタートチャッカー６０、電動チューリップ７０、スルーゲート８０、風車９０、複数（３つ）の普通入賞口１００、アタッカー１１０、複数の星形盤ランプ１２０及び複数の星形可動役物１３０を備えており、スタートチャッカー６０、電動チューリップ７０、スルーゲート８０、風車９０、各普通入賞口１００、アタッカー１１０及び各星形盤ランプ１２０は、図２にて示す各位置にて、遊技盤１０の盤面１１に遊技領域１２内にて配設されている。また、各星形可動役物１３０は、図２にて示すごとく、センター役物３０の右側部に配設されている。
【００７３】
ここで、スタートチャッカー６０は、ステージ３０ａの案内通路３５の下端開口部３５ｂの直下に位置している。このスタートチャッカー６０は、始動入賞口６１を備えており、当該スタートチャッカー６０は、その左右周辺に位置する複数の障害釘（いわゆる道釘）により案内される遊技球やステージ３０ａの案内通路３５の下端開口部３５ｂから落下する遊技球に対し始動入賞口６１への入賞（始動入賞）の機会を与える。また、当該スタートチャッカー６０は、始動入賞口６１への遊技球の入賞に基づき、大当たり抽選（大当たりか否かの抽選）の機会を形成する。
【００７４】
電動チューリップ７０は、普通電動役物としての役割を果たすべく、スタートチャッカー６０の直下に位置しており、この電動チューリップ７０は、電チュー入賞口７１を備えている。しかして、当該電動チューリップ７０は、その閉鎖状態（図２にて示す状態）にて、遊技球に対し電チュー入賞口７１への入賞の機会を与える。また、当該電動チューリップ７０は、その開放状態にて、遊技球の電チュー入賞口７１への入賞の機会を増大させる。なお、電チュー入賞口７１は、始動入賞口６１と同様の遊技球の始動入賞口としての役割をも兼ねる。
【００７５】
スルーゲート８０は、センター役物３０の左縁中央部の左側に位置している。これにより、遊技球が当該スルーゲート８０の直上から遊技盤１０の盤面１１に沿い下方へ転動するとき、当該遊技球はスルーゲート８０を通過する機会を得る。風車９０は、スルーゲート８０の下方に位置しており、この風車９０は、遊技盤１０の盤面１１に沿いスルーゲート８０或いはその周囲から下方へ転動する遊技球により衝突されたとき、回転しつつ当該遊技球を下方へ転動させる。複数の普通入賞口１００は、スタートチャッカー６０の左右両側に位置しており、左側の両普通入賞口１００は、その直上から下方へ転動する遊技球に対し入賞の機会を与える。また、右側の普通入賞口１００は、その直上から下方へ転動する遊技球に対し入賞の機会を与える。
【００７６】
アタッカー１１０は、図２にて示すごとく、スタートチャッカー６０の直下において、遊技盤１０にその盤面１１側から設けられており、このアタッカー１１０は、遊技球の入賞させ得るように、扉を間欠的に開く。複数の星形盤ランプ１２０は、左側の両普通入賞口１００の間及び右側の普通入賞口１００の右側に、２つずつ、位置しており、当該複数の星形盤ランプ１２０は、その各点滅により、所定の演出を行う。
【００７７】
以上のように構成した本第１実施形態において、遊技者が、上皿内に払い出された各遊技球を、上記球発射装置により操作ハンドルＨの操作のもとに、順次、ガイドレール２０に向けて発射すると、これら各遊技球は、ガイドレール２０により遊技領域１２内に案内される。このように案内された遊技球が、例えば、センター役物３０の上記左側ワープ通路を通りステージ３０ａに向けて落下すると、当該遊技球は、ステージ３０ａの前側、中側及び後側の各ステージ部３１〜３３のいずれかに向けて転動する。
【００７８】
また、振り分け役物４０において、ステップモータ４０ｆが、その作動に伴い、図５にて図示時計方向へ回転すると、平歯車４８が、当該ステップモータ４０ｆと同一方向へ回転し、平歯車４７が平歯車４８とは逆方向へ回転し、各平歯車４５、４６がステップモータ４０ｆと同一方向（上記時計方向）へ回転する。このため、前側及び後側の各回転体４０ｃ及び４０ｄが、それぞれ、各平歯車４５、４６の回転に伴い当該各平歯車４５、４６と同一方向に回転する。
【００７９】
このような状態において、上記遊技球が、例えば、図７にて符号Ｎにより示すごとく、ステージ３０ａの後側ステージ部３３の上面３３ａの左端部上に転動した後、符号Ｎ１にて示すごとく、中側ステージ部３２の上面に転動し、さらに前側ステージ部３１の中央隆起面部３１ａへ転動するものとする。
【００８０】
しかして、このように転動した当該遊技球が、さらに、前側回転体４０ｃの四角柱４１側へ転動したとき、両永久磁石４１ｂ、４１ｂの一方の永久磁石４１ｂが、図７の図示二点鎖線にて示すごとく、センター役物３０の前方を臨む位置にあれば、上記遊技球は、図８（ａ）にて符号Ｎ２により示すごとく、前側回転体４０ｃの上記一方の永久磁石４１ｂにより吸着される。然る後、このように吸着された当該遊技球は、四角柱４１の上記時計方向への回転に伴い、図７及び図８（ｂ）にて符号Ｎ４により示すごとく、上記一方の永久磁石４１ｂによりつり上げられて当該一方の永久磁石４１ｂ上に乗った状態で、後側回転体４０ｄの四角柱４３側へ移動する。
【００８１】
このような移動過程において、後側回転体４０ｄの両永久磁石４３ｂ、４３ｂの一方の永久磁石４３ｂが、四角柱４３の回転に伴い、図７及び図８（ｃ）にて示すごとく、センター役物３０の前方を臨む位置に達すると、前側回転体４０ｃの上記一方の永久磁石４１ｂ上の上記遊技球が、図８（ｃ）にて符号Ｎ５により示すごとく後側回転体４０ｄの上記一方の永久磁石４３ｂにより吸着される。
【００８２】
ここで、当該一方の永久磁石４３ｂの磁力は、上述のごとく、上記一方の永久磁石４１ｂの磁力よりも強いため、上記一方の永久磁石４３ｂにより吸着された上記遊技球は、両四角柱４１、４３の回転に伴い、上記一方の永久磁石４１ｂからその磁力に抗して引き離された後、図８（ｄ）及び（ｅ）にて各符号Ｎ６、Ｎ７により示すごとく、上記一方の永久磁石４３ｂにより吸着されたまま、上側後方へ移動する。然る後は、当該遊技球は、四角柱４３のさらなる回転に伴い図８（ｅ）にて符号Ｎ８により示すごとく、案内通路３５内にその上端開口部３５ａから落下する。
【００８３】
このように落下した遊技球は、図４にて符号Ｍにより示す遊技球と同様にして、案内通路３５により案内されて下端開口部３５ｂからその前側下方に向けて落下する。このように落下した遊技球は、その下方に位置するスタートチャッカー６０の始動入賞口６１への入賞の可能性を生ずる。
【００８４】
また、上述のごとく後側回転体４０ｄの回転速度が前側回転体４０ｃの回転速度よりも低い。このため、前側回転体４０ｃの上記一方の永久磁石４１ｂが、図９（ａ）にて示すごとく、図８（ａ）と同様に、センター役物３０の前方を臨む位置にあるとき、後側回転体４０ｄの上記一方の永久磁石４３ｂも、図９（ａ）にて示すごとく、同様にセンター役物３０の前方を臨む位置にある場合が生ずる。
【００８５】
このとき、上述と同様に、上記一方の永久磁石４１ｂにより吸着された遊技球が、図９（ｂ）にて符号Ｎ４により示すごとく、四角柱４１の回転に伴い、図８（ｂ）と同様に、四角柱４３側に向け上方へ移動するものの、上記一方の永久磁石４３ｂも、四角柱４３の回転に伴い後側上方へ回転する。
【００８６】
このため、上記一方の永久磁石４１ｂにより吸着された遊技球が、図９（ｃ）にて符号Ｎ５により示すごとく、図８（ｃ）と同様の位置に達しても、後側回転体４０ｄの上記一方の永久磁石４３ｂは、図９（ｃ）にて示すごとく、同様に、センター役物３０の前方を臨む位置には既になく、上方を臨む位置にある。
【００８７】
従って、上述のごとく四角柱４３の回転速度が四角柱４１の回転速度よりも低いこと及び両四角柱４１、４３が横断面正方形状を有することから、上記一方の永久磁石４１ｂにより吸着された遊技球は、前側回転体４０ｃの上記一方の永久磁石４１ｂを有する外壁部４１ａ上に停留することなく、図９（ｄ）にて符号Ｎ８示すごとく、四角柱４３によりその前方へ向けて押され、上記一方の永久磁石４１ｂからその磁力に抗して確実に分離されて、図９（ｅ）にて符号Ｎ９により示すごとく、前側ステージ部３１の中央隆起面部３１ａ上に向けて落下する。なお、遊技球が、図７にて二点鎖線により示す矢印方向に転動するときには、案内通路３５内に落下するかステージ３０ａの前方へ落下する。
【００８８】
しかして、このように落下した遊技球は、その勢いのもとに中央隆起面部３１ａに沿いその面形状に応じて転動し、例えば、中央隆起面部３１ａからスタートチャッカー６０側へ落下していく。
【００８９】
以上説明したように、本第１実施形態では、振り分け役物４０においては、前後両側の各回転体４０ｃ、４０ｄの各四角柱４１、４３が、横断面円形状ではなく、横断面正方形状を有するように形成されており、かつ、四角柱４３の回転速度が四角柱４１の回転速度よりも低い。
【００９０】
このような前提のもと、前側及び後側の各四角柱４１、４３が、その各外壁部の数において同一であっても、異なっていても、上述のように、遊技球が前側隆起面部３１ａ上にて四角柱４１側に転動することで、当該遊技球が前側回転体４０ｃの上記一方の永久磁石４１ｂにより吸着されて四角柱４１の回転に伴い上方から四角柱４３側へ移動したとき、四角柱４１において永久磁石４１ｂを有する外壁部４１ａが、上方を臨む位置にあるとき、四角柱４３において永久磁石４３ｂを有する外壁部４３ａは、センター役物３０の前方を臨む位置にあるとは限らず、上方を臨む位置にあることもある。
【００９１】
しかして、上述のごとく、四角柱４３の回転速度が四角柱４１の回転速度よりも低いことから、後側回転体４０ｄの上記一方の永久磁石４３ｂを有する外壁部４３ａが、センター役物３０の前方を臨む位置にあれば、上記一方の永久磁石４１ｂにより吸着された遊技球は、上記一方の永久磁石４３ｂにより吸着されて当該永久磁石上に乗り上げて後方の案内通路３５内にその上端開口部３４ａから落下する。
【００９２】
一方、上記遊技球が上述のごとく四角柱４３側へ移動したとき、後側回転体４０ｄの上記一方の永久磁石４３ｂを有する外壁部４３ａが、センター役物３０の前方を臨む位置にはなく、上方を臨む位置にあれば、四角柱４３の回転速度が、上述のごとく、前側回転体４０ｃの回転速度よりも低いこと及び両四角柱４１、４３が横断面正方形状を有することから、上記一方の永久磁石４１ｂにより吸着された遊技球が、前側回転体４０ｃの上記一方の永久磁石４１ｂを有する外壁部４１ａ上に停留することなく、四角柱４３によりその前方へ向けて押され、上記一方の永久磁石４１ｂからその磁力に抗して分離されて、前側ステージ部３１の中央隆起面部３１ａ上に向けて落下する。
【００９３】
このように、振り分け役物４０における前後両側の各回転体４０ｃ、４０ｄの各四角柱４１、４３を、横断面正方形を有するように形成し、かつ、四角柱４３の回転速度を四角柱４１の回転速度よりも低くすることで、上述のように、遊技球を両四角柱４１、４３の回転に伴い案内通路３５の上端開口部３５ａ側へ転動させ得るのは勿論のこと、遊技球を、四角柱４１の外壁部４１ａ上に停留させることなく、外壁部４１ａ上から確実に前側ステージ部３１の中央隆起面部３１ａ上へ落下させるようにした。
【００９４】
その結果、ステージ３０ａ上における遊技球の停留のない円滑な動きを、上述のような振り分け役物４０により、与えることによって、ステージ３０ａ上における遊技球の動きに対し、遊技者に、より一層面白みを与えることができる。
【００９５】
また、上述のごとく、前側及び後側の各四角柱４１、４３は、その外周壁にて、横断面四角形状となるように複数の外壁部を連ねて構成されているから、各四角柱４１、４３の外周壁の回転軌跡が、当該各四角柱の回転に伴い横断面四角形状的に変化していく。従って、遊技者は、直接、永久磁石を視認しなくても、各四角柱の回転状態から永久磁石の視認可能な位置への到来を予測できる。
【００９６】
これにより、永久磁石４１ｂにより吸着された遊技球が永久磁石４３ｂにより吸着されるか否かを予測するという興趣を、遊技者に対して良好に与えることができ、その結果、上述のようなステージにおける遊技球の動きに対する面白みをより一層向上させることができる。
【００９７】
以上によれば、永久磁石の位置の予測を可能にしつつ、遊技球を前側及び後側の各回転体の外周壁上に停留させることなく移動させることで、遊技者に対しステージ上における遊技球の動きにより一層面白みを与えるようにしたパチンコ遊技機を提供することができる。
【００９８】
また、本第１実施形態では、上述のごとく前側回転体４０ｃ及び後側回転体４０ｄが前側四角柱４１及び後側四角柱４３を有することから、これら前側四角柱４１及び後側四角柱４３は、それぞれの外壁部の数を最小の同一数にしつつ双方に共通で簡単な横断面四角形状を有するように構成されることとなる。その結果、このようなら前側四角柱４１及び後側四角柱４３の相互に共通な簡単な構成のもとに、上述した作用効果が達成され得る。
【００９９】
また、本第１実施形態では、上述したごとく、四角柱４１の外壁部４１ａが四角柱４３の外壁部４３ａと平行となってこの外壁部４３ａに対向するとき、両外壁部４１ａ、４３ａ間に付与される所定の間隔Ｇが、９．５１（ｍｍ）と、遊技球の外径（１１（ｍｍ））よりも狭くなるように、かつ、四角柱４１が、四角柱４３との間で、互いに干渉し合わないように、前後両側回転体４０ｃ、４０ｄの間の軸間隔が選定されている。このため、前側四角柱４１が、その複数の外壁部のうちのどの外壁部にて、後側四角柱４３の複数の外壁部のうちのどの外壁部に対応しても、遊技球が、両四角柱４１、４３の間に噛み込まれたり、両四角柱４１、４３の間を通り落下したりすることがない。
【０１００】
図１０は、上記第１実施形態の変形例の要部を示している。この変形例では、案内通路３６が、上記第１実施形態にて述べた案内通路３５に代えて採用されている。案内通路３６は、案内通路３５とは異なり、直線状に形成されており、この案内通路３６は、案内通路３５の上端開口部３５ａに代えて、上端開口部３６ａにて、後側ステージ部３３の上面３３ａの左右方向中央部から上方に向け開口している。また、当該案内通路３６は、上端開口部３６ａから直線状に下方へ向け延出して、その下端開口部３６ｂにて、下方に向けて開口している。
【０１０１】
しかして、上記第１実施形態にて述べた振り分け役物４０の各四角柱４１、４３を介し後方へ移動する遊技球は、案内通路３６内にその上端開口部３６ａから落下し、下端開口部３６ｂから遊技盤１０の裏面側へ放出される。
【０１０２】
また、当該変形例においては、入賞センサ３７が、案内通路３６の軸方向中間部位に設けられている。これにより、当該入賞センサ３７は、案内通路３６の内部を落下する遊技球を、遊技球の入賞として検出する。このことは、案内通路３６及び入賞センサ３７が、上記第１実施形態にて述べたスタートチャッカー６０とは、別途、スタートチャッカーとしての役割を果たすことを意味する。このようにスタートチャッカー６０とは別途設けたスタートチャッカーとしての案内通路３６及び入賞センサ３７を備える遊技盤においても、振り分け役物４０を設けることで、上記第１実施形態と同様の作用効果が達成され得る。
（第２実施形態）
図１１は、本発明の第２実施形態の要部を示している。この第２実施形態では、上記第１実施形態にて述べた振り分け役物４０において、後側回転体４０ｇが、後側回転体４０ｄに代えて採用されており、この後側回転体４０ｇは、長手状三角柱４９、帯状永久磁石４９ｂ及び上記第１実施形態にて述べた左右両側軸部４４ａ、４４ｂでもって構成されている。
【０１０３】
三角柱４９は、３つの外壁部４９ａ〜４９ａにて横断面正三角形状を構成するように長手状に形成されており、この三角柱４９は、その長手方向両端部にて、それぞれ、上記第１実施形態にて述べた左右両側軸部４４ａ、４４ｂと同軸的にかつ一体的に形成されている。但し、本第２実施形態においては、三角柱４９の外壁部４９ａが四角柱４１の外壁部４１ａと平行となってこの外壁部４１ａに対向するとき、両外壁部４１ａ、４９ａ間には、上記第１実施形態と同様に、所定の間隔Ｇ＝９．５１（ｍｍ）が付与されている（図１３参照）。
【０１０４】
帯状永久磁石４９ｂは、図１１にて示すごとく、三角柱４９の３つの外壁部４９ａのうちの一外壁部４９ａの幅方向中央穴部にその長手方向に沿い嵌着されており、この永久磁石４９ｂの表面は、外方を臨んでいる。なお、当該永久磁石４９ｂは、上記第１実施形態にて述べた永久磁石４１ｂと同一の外形寸法及び磁力を有する。その他の構成は、上記第１実施形態と同様である。
【０１０５】
このように構成した本第２実施形態において、上記第１実施形態と同様に、各平歯車４５、４６がステップモータ４０ｆと同一方向に回転すると、前側及び後側の各回転体４０ｃ及び４０ｇの四角柱４１及び三角柱４９が、各平歯車４５、４６と同一方向に回転する。
【０１０６】
このような状態において、上記第１実施形態と同様に、前側回転体４０ｃの上記一方の永久磁石４１ｂにより吸着された遊技球は、四角柱４１の上記時計方向への回転に伴い、上記一方の永久磁石４１ｂによりつり上げられて当該一方の永久磁石４１ｂ上に乗った状態で、三角柱４９側へ移動する。
【０１０７】
このような移動過程において、永久磁石４９ｂが、三角柱４９の回転に伴い、センター役物３０の前方を臨む位置に達すると、前側回転体４０ｃの上記一方の永久磁石４１ｂ上の遊技球が永久磁石４９ｂにより吸着される。
【０１０８】
ここで、当該永久磁石４９ｂの磁力は後側回転体４０ｇの永久磁石４３ｂと同様にして、上記一方の永久磁石４１ｂの磁力よりも強いため、永久磁石４９ｂにより吸着された遊技球は、四角柱４１及び三角柱４９の回転に伴い、上記一方の永久磁石４１ｂからその吸着力に抗して引き離された後永久磁石４９ｂにより吸着されたまま、上側後方へ移動する。然る後は、当該遊技球は、三角柱４９のさらなる回転に伴い、案内通路３５内にその上端開口部３５ａから落下する。その後、このように落下した遊技球は、上記第１実施形態と同様にして、案内通路３５を通り下端開口部３５ｂからその前側下方に向けて落下する。このように落下する遊技球は、その下方に位置するスタートチャッカー６０の始動入賞口６１への入賞の可能性を生ずる。
【０１０９】
また、三角柱４９の回転速度が、上記第１実施形態にて述べた四角柱４３と同様に、四角柱４１の回転速度よりも低い。このため、前側回転体４０ｃの上記一方の永久磁石４１ｂが、センター役物３０の前方を臨む位置にあるとき、後側回転体４０ｇの上記一方の永久磁石４９ｂも、同様に、センター役物３０の前方を臨む位置にある場合が生ずる。
【０１１０】
このとき、上述と同様に上記一方の永久磁石４１ｂにより吸着された遊技球が、四角柱４１の回転に伴い、三角柱４９側に向け上方へ移動するものの、永久磁石４９ｂも、三角柱４９の回転に伴い後側上方へ回転する。このため、上記一方の永久磁石４１ｂにより吸着された遊技球が、上方を臨む位置に達しても、後側回転体４０ｇの永久磁石４９ｂは、同様にセンター役物３０の前方を臨む位置には既になく、上方を臨む位置にある。
【０１１１】
従って、上述のごとく三角柱４９の回転速度が四角柱４１の回転速度よりも低いこと及び三角柱４９が横断面正三角形状を有することから、上記一方の永久磁石４１ｂにより吸着された遊技球は、前側回転体４０ｃの上記一方の永久磁石４１ｂを有する外壁部４１ａ上に停留することなく三角柱４９の前方へ向けて押され、上記一方の永久磁石４１ｂからその吸着力に抗して確実に分離されて、前側ステージ部３１の中央隆起面部３１ａ上に向けて落下する。このように落下する遊技球は、その勢いのもとに中央隆起面部３１ａに沿いその面形状に応じて転動し、例えば、中央隆起面部３１ａからスタートチャッカー６０側へ落下していく。
【０１１２】
以上説明したように、本第２実施形態では、振り分け役物４０が、上記第１実施形態とは異なり、後側四角柱４３に代えて、当該後側四角柱４３の横断面形状とは異なる断面形状を有する三角柱４９を備えている。
【０１１３】
然るに、このように三角柱４９は、後側四角柱４３とは異なる横断面形状を有していても、当該三角柱４９の外周壁は、横断面円形状とは異なり、互いに交差する３つの外壁部でもって構成されており、互いに交差する４つの外壁部からなる外周壁を有する後側四角柱４３とは、互いに交差する外壁部の数において相違するにすぎない。
【０１１４】
しかも、上述のごとく、三角柱４９の回転速度は、前側四角柱４１の回転速度よりも低い。このため、四角柱４１において永久磁石４１ｂを有する外壁部４１ａが、上方を臨む位置にあるとき、三角柱４９において永久磁石４ｂｂを有する外壁部４９ａは、センター役物３０の前方を臨む位置にあるとは限らず、上方を臨む位置にあることもある。
【０１１５】
従って、上述のように、遊技球が前側ステージ部３１の前側隆起面部３１ａ上にて四角柱４１側に転動することで、当該遊技球が前側回転体４０ｃの上記一方の永久磁石４１ｂにより吸着されて四角柱４１の回転に伴い上方から三角柱４９側へ移動したとき、後側回転体４０ｇにおいて永久磁石４９ｂを有する外壁部４９ａが、センター役物３０の前方を臨む位置にあれば、上記一方の永久磁石４１ｂにより吸着された遊技球は、永久磁石４９ｂにより吸着されて当該永久磁石上に乗り上げて後方の案内通路３５内にその上端開口部３４ａから落下する。
【０１１６】
一方、上記遊技球が上述のごとく三角柱４９側へ移動したとき、後側回転体４０ｇの永久磁石４９ｂを有する外壁部４９ａが、センター役物３０の前方を臨む位置にはなく、上方を臨む位置にあれば、三角柱４９の回転速度が、上述のごとく、四角柱４１の回転速度よりも低いこと、並びに四角柱４１及び三角柱４９が上述のごとく互いに異なる横断面形状を有していても、これら四角柱４１及び三角柱４９が、その各隣接外壁部にて互いに交差するように構成されていることから、上記一方の永久磁石４１ｂにより吸着された遊技球が、後側回転体４０ｇにおいて永久磁石４９ｂを有する外壁部４９ａ上に停留することなく、三角柱４９の前方へ向けて押され、上記一方の永久磁石４１ｂからその吸着力に抗して分離されて、前側ステージ部３１の中央隆起面部３１ａ上に向けて落下する。
【０１１７】
このように、本第２実施形態では、振り分け役物４０における前側回転体４０ｃの四角柱４１及び後側回転体４０ｇの三角柱４９を、それぞれ、横断面正方形及び横断面正三角形を有するように形成し、かつ、三角柱４９の回転速度を四角柱４１の回転速度よりも低くすることで、上述のように、遊技球を四角柱４１及び三角柱４９の各回転に伴い案内通路３５の上端開口部３５ａ側へ転動させるのは勿論のこと、遊技球を、四角柱４１の外壁部４１ａ上に停留させることなく、外壁部４１ａ上から確実に前側ステージ部３１の中央隆起面部３１ａ上へ落下させるようにした。
【０１１８】
その結果、ステージ３０ａ上における遊技球の停留のない円滑な動きを、上述のような振り分け役物４０により、与えることによって、上記第１実施形態と同様に、ステージ３０ａ上における遊技球の動きに対し、遊技者に、より一層面白みを与えることができる。
【０１１９】
また、本第２実施形態では、上述したごとく、四角柱４１の外壁部４１ａが三角柱４９の外壁部４９ａと平行となってこの外壁部４９ａに対向するとき、両外壁部４１ａ、４９ａ間に付与される所定の間隔Ｇが、９．５１（ｍｍ）と、遊技球の外径（１１（ｍｍ））よりも小さくなるように、かつ、四角柱４１が、三角柱４９と、互いに干渉し合わないように、四角柱４１と三角柱４９の間の軸間隔が選定されている。このため、遊技球が、四角柱４１と三角柱４９との間に噛み込まれたり、四角柱４１と三角柱４９との間を通り落下したりすることがない。
【０１２０】
また、本第２実施形態では、前側回転体４０ｃ及び後側回転体４０ｇが、それぞれ、前側四角柱４１及び後側三角柱４９を有することにより、前側四角柱４１及び後側三角柱４９のそれぞれの外壁部の数が３つ及び４つとなる。このため、前側四角柱４１及び後側三角柱４９が、それぞれの外壁部の数を互いに異にしつつ、簡単な横断面四角形状を有するように構成されることとなる。その結果、このような前側四角柱４１及び後側三角柱４９の簡単な構成のもとに、上述した作用効果を達成することができる。その他の作用効果は上記第１実施形態と実質的に同様である。
【０１２１】
図１４は、上記第２実施形態の変形例の要部を示している。この変形例では、上記第２実施形態にて述べた振り分け役物４０の三角柱４９が、その横断面にて、縮小されて、上記第２実施形態における三角柱４９とは相似な正三角形状となるように、３つの外壁部４９ａに代えて、３つの外壁部４９ｃを有している。また、本変形例では、上記第２実施形態にて述べた振り分け役物４０の平歯車４６が、三角柱４９と同様に、その横断面にて、縮小されて、上記第２実施形態における平歯車４６とは相似な形状となっている。このため、本変形例では、平歯車４６の回転速度は、平歯車４５の回転速度よりも高い。
【０１２２】
但し、本変形例においても、四角柱４１の外壁部４１ａが三角柱４９の外壁部４９ｃと平行となってこの外壁部４９ｃに対向するとき、両外壁部４１ａ、４９ｃ間に付与される所定の間隔Ｇが、上述と同様に９．５１（ｍｍ）と、遊技球の外径（１１（ｍｍ））よりも小さくなるように、かつ、四角柱４１が、三角柱４９との間で互いに干渉し合わないように、四角柱４１と三角柱４９の間の軸間隔が選定されている。その他の構成は、上記第２実施形態と同様である。
【０１２３】
このように構成した本変形例では、上述のごとく、振り分け役物４０における後側回転体４０ｇの三角柱４９の横断面及び平歯車４６の横断面が、それぞれ、上記第２実施形態にて述べた後側回転体４０ｇの三角柱４９の横断面及び平歯車４６の横断面を相似的に縮小して構成され、また、上記所定の間隔Ｇ及び上記軸間隔が、上記第２実施形態と同様に選定されている。
【０１２４】
これにより、本変形例における三角柱４９は、四角柱４１との間において、上記第２実施形態にて述べた三角柱４９と同様の役割を果たす。その結果、上述のように、本変形例では、上記第２実施形態とは異なり、平歯車４６の回転速度が平歯車４５の回転速度よりも高くても、上記第２実施形態と実質的に同様の作用効果が達成され得る。
【０１２５】
なお、本発明の実施にあたり、上記各実施形態や各変形例に限ることなく、次のような種々の変形例が挙げられる。
（１）上記第１（或いは第２）の実施形態において、四角柱４１の回転速度が、四角柱４３（或いは三角柱４９）の回転速度と同一或いはこの回転速度よりも遅くなるように、歯車列４０ｅの両平歯車４５、４６の歯車比を選定しても、上記第１実施形態及びその変形例（或いは上記第２実施形態及びその変形例）と同様の作用効果が達成され得る。なお、四角柱４１及び四角柱４３（或いは三角柱４９）の各回転速度が互いに異なる場合には、上述した歯車比は、どのように変更してもよい。
（２）上述した四角柱４１、４３は、横断面正方形状に限ることなく、横断面矩形状であればよく、また、上述した三角柱４９は、横断面正三角形状に限ることなく、横断面三角形状であればよい。
（３）上述した四角柱４１に代えて、三角柱４９を採用してもよく、また、例えば、５角柱或いは６角柱を採用してもよい。また、上述した四角柱４３に代えて、例えば、５角柱或いは６角柱を採用してもよい。一般的には、上述した四角柱４１、四角柱４３或いは三角柱４９に代えて、角柱本体を採用してもよい。
【０１２６】
以上によっても、上記第１或いは第２の実施形態と同様の作用効果が達成され得る。
（４）前側回転体４０ｃまたは後側回転体４０ｄ（或いは４０ｇ）の永久磁石の数（外壁部の数未満）及びこの永久磁石を設ける外壁部は異なっていてもよい。また、前側回転体４０ｃまたは後側回転体４０ｄ（或いは４０ｇ）の外壁部の上記幅方向中央穴部に代えて、例えば、前側回転体４０ｃまたは後側回転体４０ｄ（或いは４０ｇ）の外壁部に左右方向中央穴部を形成して、この左右方向中央穴部内に永久磁石を嵌着するようにしてもよい。
（５）振り分け役物４０において、左右両側支持壁４０ａ、４０ｂは、ステージ３０ａの中側ステージ部３２に設けた凹所３２ａの左右両端部から上方へ一体的に延出するように、ステージ３０ａと一体的に形成するようにしてもよい。
（６）歯車列４０ｅ及びステップモータ４０ｆに代えて、前側回転体４０ｃ及び後側回転体４０ｄ（或いは４０ｇ）を、それぞれ、別々の各ギヤードモータ等の各回転駆動源でもって、独立的に回転させるようにしてもよい。
【０１２７】
また、上記回転駆動源は、前側回転体４０ｃ及び後側回転体４０ｄ（或いは４０ｇ）を回転させる構成であれば、どのような構成であってもよく、上述の駆動パターンは、前側回転体４０ｃ及び後側回転体４０ｄ（或いは４０ｇ）を相互に同一或いは異なる回転速度で回転させるように構成すればよい。
（７）後側回転体４０ｄ（或いは４０ｇ）の永久磁石の磁力は、上記第１（或いは第２）の実施形態とは異なり、前側回転体４０ｃの永久磁石の磁力よりも強くなくてもよく、例えば、前側回転体４０ｃの永久磁石の磁力と同一或いはほぼ同一であってもよい。
【０１２８】
ここで、後側回転体４０ｄ（或いは４０ｇ）の永久磁石の数は、当該後側回転体４０ｄ（或いは４０ｇ）の四角柱（或いは三角柱）の外壁部の数未満であり、前側回転体４０ｃの永久磁石の数は、当該前側回転体４０ｃの四角柱の外壁部の数以下であってもよい。
【図面の簡単な説明】
【０１２９】
【図１】本発明に係るパチンコ遊技機の第１実施形態を示す前面図である。
【図２】図１のパチンコ遊技機の遊技盤を示す前面図である。
【図３】図２の遊技盤の斜視図である。
【図４】図２の案内通路の縦断面図である。
【図５】図３の振り分け役物の前後両側の各四角柱、歯車列及びステップモータを示す斜視図である。
【図６】上記第１実施形態における前後両側の各四角柱、歯車列及びステップモータの拡大右側面図である。
【図７】図３のステージ及び振り分け役物の斜視図である。
【図８】（ａ）〜（ｅ）は、それぞれ、図７の振り分け役物において遊技球が前後両側の四角柱により前側ステージ部から案内通路内に案内される過程を示す部分破断側面図である。
【図９】（ａ）〜（ｅ）は、それぞれ、図７の振り分け役物において遊技球が前後両側の四角柱により前側ステージ部から案内通路内に案内されることなく前側ステージ部側へ落下する過程を示す部分破断側面図である。
【図１０】上記第１実施形態の変形例を示す振り分け役物の要部断面図である。
【図１１】本発明の第２実施形態の要部を示す斜視図である。
【図１２】図１１の前側四角柱、後側三角柱及び歯車列を示す側面図である。
【図１３】図１１の前側四角柱、後側三角柱及び歯車列を示す側面図である。
【図１４】上記第２実施形態の変形例を示す前側四角柱、後側三角柱、歯車列及びステップモータを示す右側面図である。
【符号の説明】
【０１３０】
３０…センター役物、３０ａ…ステージ、３１ａ…中央隆起面部、３２ａ…凹所、
４０…振り分け役物、４０ａ、４０ｂ…支持壁、４０ｃ…前側回転体、
４０ｄ、４０ｇ…後側回転体、４０ｅ…歯車列、４０ｆ…ステップモータ、
４１、４３、４９…四角柱、４１ａ、４３ａ、４９ａ…外壁部、
４１ｂ、４３ｂ、４９ｂ…永久磁石。
【図１】
2010142310.tif 000003
【図２】
2010142310.tif 000004
【図３】
2010142310.tif 000005
【図４】
2010142310.tif 000006
【図５】
2010142310.tif 000007
【図６】
2010142310.tif 000008
【図７】
2010142310.tif 000009
【図８】
2010142310.tif 000010
【図９】
2010142310.tif 000011
【図１０】
2010142310.tif 000012
【図１１】
2010142310.tif 000013
【図１２】
2010142310.tif 000014
【図１３】
2010142310.tif 000015
【図１４】
2010142310.tif 000016